(57)【要約】【課題】低コストで導入が可能なプリントシール機を提供することを目的とする。【解決手段】被写体を撮影するための撮影装置の第１筐体と着脱自在な接続手段を有する第２筐体と、第２筐体内に設置され、撮影装置が撮影した画像に基づく画像を編集するための編集部と、第２筐体内に設置され、編集部で編集された画像を印刷する印刷部と、第２筐体内に設置され、編集部及び印刷部の動作を制御し、第１筐体及び第２筐体の接続時に撮影装置を制御する制御部とを備えた画像編集装置を提供する。【選択図】図２
2017055316.tif 000002
【特許請求の範囲】
【請求項１】
被写体を撮影するための撮影装置の第１筐体と着脱自在な接続手段を有する第２筐体と、
前記第２筐体内に設置され、前記撮影装置が撮影した画像に基づく画像を編集するための編集部と、
前記第２筐体内に設置され、前記編集部で編集された画像を印刷する印刷部と、
前記第２筐体内に設置され、前記編集部及び前記印刷部の動作を制御し、前記第１筐体及び前記第２筐体の接続時に前記撮影装置を制御する制御部とを備えた画像編集装置。
【請求項２】
前記接続手段は、互いに嵌合する凹部及び凸部を含み、
前記第２筐体は、前記凹部及び凸部のうちいずれかを有することを特徴とする請求項１に記載の画像編集装置。
【請求項３】
前記第２筐体の下部に設置され、前記第２筐体を昇降可能とするアジャスタを更に備えた請求項２に記載の画像編集装置。
【請求項４】
請求項１乃至請求項３のいずれか一に記載の画像編集装置と、
前記撮影装置とを備えたプリントシール機。
【請求項５】
撮影された被写体の画像を編集するための画像編集装置の第２筐体と着脱自在な接続手段を有する第１筐体と、
前記第１筐体内に配置され、カメラ及び前記カメラが撮影した画像を表示するモニタを有する撮影部とを備えた撮影装置。
【請求項６】
前記接続手段は、互いに嵌合する凹部及び凸部を含み、
前記第１筐体は、前記凹部及び凸部のうちいずれかを有することを特徴とする請求項５に記載の撮影装置。
【請求項７】
前記第１筐体の下部に設置され、前記第１筐体を昇降可能とするアジャスタを更に備えた請求項６に記載の撮影装置。
【請求項８】
前記画像編集装置の上部に延長され、外部空間と編集空間とを仕切るシートを取付可能な庇部を更に備えることを特徴とする請求項５に記載の撮影装置。
【請求項９】
請求項５乃至請求項８のいずれか一に記載の撮影装置と、
前記画像編集装置とを備えたプリントシール機。
【発明の詳細な説明】
【技術分野】
【０００１】
本発明は、撮影装置及び画像編集装置に関する。特に、プリントシール機を構成する撮影装置及び画像編集装置に関する。
【背景技術】
【０００２】
プリントシール機は、その筐体の内部で被写体の顔や姿をカメラで撮影し、シール台紙に印刷された写真を得る機械である。主に遊戯施設や遊園地等に設置されており、特に１０代女性を中心に利用されている。
【０００３】
１０代女性を中心とした利用者ニーズの把握、高機能化の追求、新機能の追加といった供給者側の努力を背景に、発売当初から現在までほぼ安定した需要を確保している。例えば、撮影ブースでの撮影を終了した後、撮影された画像に対し、所謂落書きといった装飾を施すための編集ブースが設けられたものが一般的である。更に、近年では、被写体の容姿、例えば目の大きさ、顔の輪郭、髪色、肌のつや等を補正する機能を有するものも一般的である。このような高機能化、新機能の追加、又はそれらによる大型化に伴い、発売当初に比べて高額化している。
【０００４】
例えば特許文献１には、撮影装置とサーバ装置とを有し、撮影装置は画像を撮影し第１の画像情報を生成する撮影部と、第１の画像情報に修飾を行い第２の画像情報を生成する修飾部と、ＩＤに、生成された第１および第２の画像情報を分離可能にした画像情報を関連付けて前記サーバ装置に送信する送信部とを有し、サーバ装置は、撮影装置より、ＩＤに関連付けられて送信された画像情報を受信し、第１および第２の画像情報を分離する受信部と、ＩＤに第１および第２の画像情報を関連付けて格納する画像格納部と、端末装置よりＩＤを受信するＩＤ受信部と、受信されたＩＤに関連付けて画像格納部に格納されている第１および第２の画像情報を返信する返信部とを有する画像撮影システムが開示されている。
【０００５】
プリントシール機の類似品として自動証明写真撮影機があるが、街頭や鉄道駅構内などに設置され、パスポートや運転免許証等のための人物写真を利用者自身で手軽に撮影できる。自動証明写真撮影機は、基本的に無地の背景で、脱帽して肩から上の顔写真を無表情で撮影する。
【先行技術文献】
【特許文献】
【０００６】
【特許文献１】特開２０１３−０９０２９３号公報
【発明の概要】
【発明が解決しようとする課題】
【０００７】
近年では、例えば特許文献１のような高機能化及び新機能の追加等によるプリントシール機の高額化に伴い、例えば遊戯施設において新機種を導入する際のコストが上昇している。更に、年に数回の頻度で各メーカーが新機種を出荷している近年では、遊戯施設等の顧客が高額で新機種を導入しても、すぐにそれが陳腐化してしまう。そのため、豊富な資金力を有する大規模な遊戯施設等は頻繁に新機種の導入が可能であるが、資金力に乏しい中小規模の遊戯施設等においては、プリントシール機自体の導入に消極的になってしまうという課題がある。
【０００８】
本発明は、上記課題に鑑み、低コストで導入が可能なプリントシール機を提供することを目的とする。
【課題を解決するための手段】
【０００９】
本発明の一実施形態は、被写体を撮影するための撮影装置の第１筐体と着脱自在な接続手段を有する第２筐体と、第２筐体内に設置され、撮影装置が撮影した画像に基づく画像を編集するための編集部と、第２筐体内に設置され、編集部で編集された画像を印刷する印刷部と、第２筐体内に設置され、編集部及び印刷部の動作を制御し、第１筐体及び第２筐体の接続時に撮影装置を制御する制御部とを備えた画像編集装置を提供する。
【００１０】
本発明の一実施形態は、撮影された被写体の画像を編集するための画像編集装置の第２筐体と着脱自在な接続手段を有する第１筐体と、第１筐体内に配置され、カメラ及びカメラが撮影した画像を表示するディスプレイを有する撮影部とを備えた撮影装置を提供する。
【発明の効果】
【００１１】
低コストで導入が可能なプリントシール機を提供することができる。
【図面の簡単な説明】
【００１２】
【図１】撮影装置及び画像編集装置に分離された本発明の一実施形態に係るプリントシール機の構成を模式的に説明するブロック図である。
【図２】本発明の一実施形態に係るプリントシール機の上面図である。
【図３】本発明の一実施形態に係るプリントシール機の側面図である。
【図４】撮影装置及び画像編集装置に分離された本発明の一実施形態に係るプリントシール機の上面図である。
【図５】撮影装置及び画像編集装置に分離された本発明の一実施形態に係るプリントシール機の側面図である。
【図６】撮影装置及び画像編集装置に分離された本発明の一実施形態に係るプリントシール機の側面図である。
【図７】本発明の一実施形態に係るプリントシール機の第１筐体及び第２筐体を着脱可能とする接続手段の変形例を説明する図である。
【図８】本発明の一実施形態に係るプリントシール機の第１筐体及び第２筐体を着脱可能とする接続手段の変形例を説明する図である。
【図９】本発明の一実施形態に係るプリントシール機の第１筐体及び第２筐体を着脱可能とする接続手段の変形例を説明する図である。
【発明を実施するための形態】
【００１３】
以下、本発明の実施形態に係るプリントシール機について、図面を参照しながら詳細に説明する。なお、以下に示す実施形態は本発明の実施形態の一例であって、本発明はこれらの実施形態に限定して解釈されるものではない。なお、実施形態で参照する図面において、同一部分または同様な機能を有する部分には同一の符号または類似の符号を付し、その繰り返しの説明は省略する場合がある。また、図面の寸法比率は説明の都合上実際の比率とは異なる場合や、構成の一部が図面から省略される場合がある。
【００１４】
＜第１実施形態＞
図１乃至図６を参照して、本実施形態に係るプリントシール機１００の構成について説明する。図１は、本実施形態に係るプリントシール機１００の構成を模式的に説明するブロック図である。図２は、本実施形態に係るプリントシール機１００の上面図（Ｄ３方向から見た図）である。図３は、本実施形態に係るプリントシール機１００のＤ１方向から見た側面図である。図４は、撮影装置１０２及び画像編集装置１０４に分離された本実施形態に係るプリントシール機１００の上面図である。図５は、撮影装置１０２及び画像編集装置１０４に分離された本実施形態に係るプリントシール機１００のＤ１方向から見た側面図である。図６は、撮影装置１０２及び画像編集装置１０４に分離された本実施形態に係るプリントシール機１００のＤ１方向に直交するＤ２方向から見た側面図である。
【００１５】
本実施形態に係るプリントシール機１００は、撮影装置１０２と画像編集装置１０４とを備えている。
【００１６】
撮影装置１０２は、第１筐体１０６と、撮影部１１０と、受付部１１２と、第１バス１４４とを有している。撮影部１１０及び受付部１１２は、第１筐体１０６内に配置され、第１筐体１０６内に配された第１バス１４４にそれぞれ接続されている。
【００１７】
画像編集装置１０４は、第２筐体１０８と、編集部１２４と、印刷部１２６と、制御部１２８と、第２バス１４６とを有している。編集部１２４、印刷部１２６及び制御部１２８は、第２筐体１０８内に配置され、第２筐体１０８内に配された第２バス１４６を介してそれぞれ接続されている。
【００１８】
第１筐体１０６は、その内部に撮影部１１０を有する。第１筐体１０６の内部は、被写体の画像を撮影するための撮影空間１１４を形成するため、複数の利用者（典型的には、２人又は３人）を同時に収容するための容積を確保する必要がある。撮影空間１１４は、その四方及び天井を全て壁材で仕切られる必要は無く、後述するシート等によって撮影空間１１４と外部空間とが仕切られればよい。つまり、第１筐体１０６は、少なくとも撮影空間１１４と外部空間とを仕切るための骨格を有していればよい。
【００１９】
尚、本発明は自動証明写真撮影機にも適用することが可能であるが、その場合、撮影空間１１４としては、少なくとも成人男性を一人収容する広さの撮影空間１１４が確保されればよい。
【００２０】
撮影部１１０は、少なくとも、カメラ１１６及びディスプレイ１４８ａを有している。撮影部１１０は更に、照明機器１２０とスピーカー１２２ａとを有していてもよい。
【００２１】
カメラ１１６は、利用者を被写体として撮影するため、内部にレンズユニット、シャッター、ＣＣＤ（Ｃｈａｒｇｅ  Ｃｏｕｐｌｅｄ  Ｄｅｖｉｃｅ）やＣＯＭＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を含むデジタルカメラであってもよい。
【００２２】
ディスプレイ１４８ａは、カメラ１１６が撮影した画像を表示する。カメラ１１６からリアルタイムに出力される映像信号に基づいて、後述する制御部１２８から出力されている画像を表示する。また、ディスプレイ１４８ａは、撮影中の操作を案内する操作画面とプレビュー画面とを表示する。ディスプレイ１４８ａはタッチパネル式であっても非タッチパネル式であってもよく、タッチパネル式の場合、利用者によってタッチされた箇所の画面上の位置の情報を含む信号が制御部１２８へ出力される。
【００２３】
第１筐体１０６には、受付部１１２が設置されてもよい。受付部１１２は所定の利用料金を投入するための料金投入口１１３を有し、利用者は、受付部１１２において所定の利用料金を支払う。更に、受付部１１２においては、利用者が登録会員であるかどうかの入力や、利用者が次に移動する撮影空間１１４において利用者を撮影して得られる画像の補正値の入力等を受付けてもよい。受付部１１２にはディスプレイ１４８ｂ、スピーカー１２２ｂ、タッチペン１５０ａが設けられている。また、ディスプレイ１４８ｂがタッチパネルディスプレであってもよく、この場合はタッチペン１５０ａは設けられなくてよい。利用者は、これらを介して上記の入力処理を行う。
【００２４】
登録会員とは、撮影空間１１４において利用者を撮影して得られる画像や、撮影空間１１４の後に移動する編集空間１３０において編集した画像を、クラウドサーバ等にアップロードするなどの特典を得ることができる会員である。登録会員になるには、受付部１１２においてメールアドレス、パスワード、氏名などを入力したり、利用者が携帯端末やパーソナルコンピュータによりクラウドサーバなどにアクセスしてメールアドレス、パスワード、氏名などを入力したりする。
【００２５】
また、画像の補正値とは、例えば目の大きさ、顔の輪郭、髪色、肌のつや等といった被写体の容姿について、撮影空間１１４で撮影された画像に対して施される補正の度合いを意味する。例えば目の大きさを例に取れば、利用者に対して例えば、１、２及び３の３段階の補正値を選択させてもよい。１が選択されれば利用者の目の大きさについての補正が施されず、３が選択されれば最も大きく補正されるようにしてもよい。
【００２６】
尚、受付部１１２は、必ずしも撮影装置１０２に含まれなくてもよい。その場合、撮影部１１０内が料金等入口１１３を含む構成としてもよい。
【００２７】
第２筐体１０８は、編集部１２４、印刷部１２６、制御部１２８等をその内部に有する。また、第２筐体１０８の周辺に編集空間１３０を形成する。利用者は、撮影空間１１４での撮影が終了すると、編集空間１３０に移動し、撮影された画像の編集を行う。
【００２８】
編集部１２４は、第２筐体１０８内に設置され、撮影装置１０２が撮影した画像に基づく画像を編集するために設けられている。撮影装置１０２が撮影した画像に基づく画像とは、撮影装置１０２が撮影した画像であってもよく、撮影装置１０２が撮影した画像に補正が施された画像であってもよい。撮影空間１１４において撮影して得られた画像がディスプレイ１４８ｃに表示されると、利用者は、タッチペン１５０ｂ等を介して表示された画像を編集することができる。
【００２９】
更に、編集部１２４は、受付部１１２において利用者が入力した画像の補正値を、撮影空間１１４にて撮影された画像に反映させる機能を有する。画像の補正値とは、例えば目の大きさ、顔の輪郭、髪色、肌のつや等といった被写体の容姿について、撮影空間１１４で撮影された画像に対して施される補正の度合いを意味する。
【００３０】
特に、このような画像処理の機能はメーカー同士の開発競争が著しく、陳腐化するまでの期間が比較的短い。
【００３１】
尚、画像の補正値の入力は、撮影空間１１４での撮影の前に限られず、撮影空間１１４での撮影の後に入力する構成でも構わない。つまり、編集部１２４において、画像の補正値の入力を、ディスプレイ１４８ｃやタッチペン１５０ｂを介して入力する構成としてもよい。これによって、撮影空間１１４で撮影された画像を確認した後に、それを考慮して画像の補正値を決定することができるため、補正及び編集が施された最終画像の仕上がりが不自然なものとならず、最終画像に対する利用者の満足度が向上する。
【００３２】
尚、編集空間１３０は、図２に示すように複数の空間に分かれ、複数の利用者が同時に編集を行うことができるようにしてもよい。
【００３３】
印刷部１２６は、第２筐体１０８内に設置され、編集部１２４で補正及び編集が施された最終画像を印刷する。印刷部１２６は、画像をシール台紙に印刷するプリンタ１３２と、印刷されたシールがプリンタ１３２から吐き出されるシール吐出口１３４とを含む。プリンタ１３２は、第２筐体１０８の内部で制御部１２８に接続されている。また、ディスプレイ１４８ｄとスピーカー１２２ｄとを含んでもよい。
【００３４】
制御部１２８は、第２筐体１０８内に設置され、編集部１２４、印刷部１２６等の動作を制御し、第１筐体１０６及び第２筐体１０８の接続時には、撮影装置１０２を制御することができる。つまり、プリントシール機１００全体の動作を制御することができる。
【００３５】
制御部１２８は、ＣＰＵ（Ｃｅｎｔｒａｌ  Ｐｒｏｃｅｓｓｉｎｇ  Ｕｎｉｔ）、ＨＤＤ（Ｈａｒｄ  Ｄｉｓｋ  Ｄｒｉｖｅ）及びＲＡＭ（Ｒａｎｄｏｍ  Ａｃｃｅｓｓ  Ｍｅｍｏｒｙ）等のメモリを有している。
【００３６】
制御部１２８が有するＣＰＵは、ＨＤＤに記録されているプログラム又はＨＤＤからＲＡＭに供給されたプログラムによって、プリントシール機１００の全体の動作を、互いに接続された第１バス１４４及び第２バス１４６を介して制御する。
【００３７】
第１筐体１０６及び第２筐体１０８は、互いに着脱自在な接続手段１３６を有している。つまり、当該接続手段１３６によって、撮影装置１０２及び画像編集装置１０４は、互いに着脱自在となっている。
【００３８】
第１バス１４４及び第２バス１４６は、それぞれ、互いに着脱自在なコネクタを有している。これによって、撮影装置１０２及び画像編集装置１０４の接続時において、第１バス１４４及び第２バス１４６を接続することによって、プリントシール機１００としての機能が付与される。
【００３９】
第１バス１４４及び第２バス１４６としては、例えばＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＵＳＢ（Ｕｎｉｖｅｒｓａｌ  Ｓｅｒｉａｌ  Ｂｕｓ）等の汎用規格を用いてもよいし、独自のバス規格としてもよい。
【００４０】
以上のような構成を有することによって、本実施形態に係るプリントシール機１００は、撮影装置１０２と画像編集装置１０４とが分離可能である。そのため、新機種の登場等により、既存の画像編集装置１０４の機能が陳腐化した場合、既存の画像編集装置１０４と交換可能な新しい画像編集装置１０５のみを導入すればよい。つまり、既存の撮影装置１０２に新しい画像編集装置１０５を接続して、新しいプリントシール機１０１とすることができる。これによって、プリントシール機一式を導入する場合のコストに比べて、低コストで新しいプリントシール機１０１を導入することができる。
【００４１】
また、このような構成を有することによって、新機種の登場等により、既存の撮影装置１０２の機能が陳腐化した場合、既存の撮影装置１０２と交換可能な新しい撮影装置１０３のみを導入すればよい。つまり、既存の画像編集装置１０４に、新しい撮影装置１０３を接続して、新しいプリントシール機１０１とすることができる。これによって、プリントシール機一式を導入する場合のコストに比べて、低コストで新しいプリントシール機１０１を導入することができる。
【００４２】
特に、本実施形態に係る画像編集装置１０４の編集部１２４が担う画像処理の機能はメーカー同士の開発競争が著しく、陳腐化するまでの期間が比較的短い。そのため、撮影装置１０２よりも画像編集装置１０４の方が、交換頻度が高いと推測される。本実施形態に係るプリントシール機１００によれば、画像編集装置１０４のみを新しい画像編集装置１０５に交換することができるため、プリントシール機一式を導入する場合のコストに比べて、低コストで新しい画像処理機能を備えた新しいプリントシール機１０１を導入することができる。
【００４３】
ここで、第１筐体１０６及び第２筐体１０８との接続手段１３６について更に詳細に説明する。当該接続手段１３６は、互いに嵌合する凹部１３６ａと凸部１３６ｂとを含んでもよい。第１筐体１０６が凹部を有し、第２筐体１０８が凸部を有してもよいし、その逆でもよい。本実施形態においては、第１筐体１０６が２つの凹部を有し、第２筐体１０８が２つの凸部を有する例を示している。
【００４４】
このような構成を有することによって、撮影装置１０２と画像編集装置１０４とを安定して固定することができる。特に、図２に示したＤ１方向のずれに対して安定化する。これによって、プリントシール機１００の予期せぬ分離や転倒等を防止することができ、撮影中、又は編集中における利用者の安全を保障することができる。
【００４５】
本実施形態においては、接続手段１３６の凹部及び凸部の平面形状は２つとも長方形であるが、採用することができる接続手段１３６の凹部及び凸部の平面形状はこれに限られない。第１筐体１０６及び第２筐体１０８に、それぞれ１個の凹部及び凸部を有していてもよいし、３個以上の凹部及び凸部を有していてもよい。また、平面形状は長方形に限られず、例えば他の多角形であってもよく、円形であってもよい。
【００４６】
撮影装置１０２は、第１筐体１０６の下部に設置され、第１筐体１０６を昇降可能とするアジャスタ１４０を更に備えてもよい。また、画像編集装置１０４にも、同様のアジャスタ１４０を備えてもよい。これによって、接続手段１３６の凹部及び凸部は、第１筐体１０６及び第２筐体１０８が分離された状態において、同一の高さに配置される必要は無い。
【００４７】
このような構成を有することによって、撮影装置１０２と画像編集装置１０４とを更に安定して固定することができる。
【００４８】
撮影装置１０２は、庇部１４２を更に有していてもよい。庇部１４２は、撮影装置１０２と画像編集装置１０４との接続時に画像編集装置１０４の上部に延長され、外部空間と編集空間１３０とを仕切るシート（図示せず）を取付可能である。
【００４９】
このような構成を有することによって、画像編集装置１０４に比べて交換頻度の低い撮影装置１０２に、外部空間とプリントシール機１００の内部（撮影空間１１４及び編集空間１３０）とを仕切る機能を持たせることができる。よって、画像編集装置１０４の交換に伴ってシートを交換することを必要とせず、画像編集装置１０４の交換に要するコストを低減することができる。
【００５０】
以上、本実施形態に係るプリントシール機１００の構成について説明した。本実施形態に係るプリントシール機１００は、撮影装置１０２及び画像編集装置１０４がそれぞれ分離可能、且つ交換可能であるため、新しいプリントシール機一式を導入するコストに比べて、低コストで新しいプリントシール機１０１を導入することができる。
【００５１】
＜変形例１＞
第１実施形態に係るプリントシール機１００の変形例として、第１筐体１０６及び第２筐体１０８を着脱自在とする他の幾つかの接続手段について説明する。
【００５２】
図７は、本実施形態に係るプリントシール機１００の第１筐体１０６及び第２筐体１０８を着脱可能とする接続手段の変形例を説明する図である。この図においては、接続手段の部分に着目し、拡大して示している。図７（ａ）は、第１筐体１０６をＤ２方向から見た図である。図７（ｂ）は、第２筐体１０８をＤ２方向と逆方向から見た図である。図７（ｄ）は、第２筐体１０８をＤ３方向から見た図である。図７（ｄ）は、第２筐体１０８をＤ１方向から見た図である。
【００５３】
本変形例においては、図７（ａ）に示すように、第１筐体１０６は開口部１０６ａを有する。一方、第２筐体１０８はフック１０８ｂを有する。フック１０８ｂは、第２筐体１０８から延在し、第２筐体１０８の外側且つ下方に向けて屈曲するように形成されている。そのため、フック１０８ｂと同様の形状を有する開口部１０８ａが形成されている。
【００５４】
開口部１０６ａとフック１０８ｂとは互いに嵌合するようなサイズ及び配置で設けられている。
【００５５】
第１筐体１０６と第２筐体１０８とを接続するには、第２筐体１０８のフック１０８ｂを、第１筐体１０６の開口部１０６ａに挿入した後に、第２筐体１０８の高さを下降させることによって、開口部１０６ａとフック１０８ｂとを嵌合させればよい。これによって、Ｄ１方向及びＤ２方向のずれに対して安定化する。ここで、第２筐体１０８を下降せるためにアジャスタ１４０を用いることができ、アジャスタ１４０によって第２筐体１０８の高さを調節した後に、キャスタ１３８が床面から上昇しても構わない。
【００５６】
以上のことを換言すると、フック１０８ｂと第２筐体１０８との間には隙間が形成され、当該隙間は、フック１０８ｂの付け根を底部とする凹部であるとも言える。一方、第１筐体１０６が有する開口部１０６ａの縁部は、凸部であるとも言える。つまり、当該凹部と当該凸部が嵌合して、第１筐体１０６と第２筐体１０８とが接続されるとも言える。
【００５７】
＜変形例２＞
図８は、本実施形態に係るプリントシール機１００の第１筐体１０６及び第２筐体１０８を着脱可能とする接続手段の他の変形例を説明する図である。この図の見方は図７と同様である。
【００５８】
本変形例においては、図８（ａ）に示すように、第１筐体１０６は開口部１０６ａを有する。開口部１０６ａの両下端には、後述するフック１０８ｂと嵌合するためのガイド１０６ｂが設けられている。一方、第２筐体１０８は二つのフック１０８ｂを有する。フック１０８ｂは、第２筐体１０８から延在し、第２筐体１０８の外側且つ第２筐体１０８の垂直方向（Ｄ２方向）に向けて屈曲するように形成されている。そのため、フック１０８ｂと同様の形状を有する開口部１０８ａが形成されている。
【００５９】
開口部１０６ａとフック１０８ｂとは互いに嵌合するようなサイズ及び配置で設けられている。
【００６０】
第１筐体１０６と第２筐体１０８とを接続するには、第２筐体１０８のフック１０８ｂを、第１筐体１０６の開口部１０６ａに挿入した後に、第２筐体１０８の高さを下降させることによって、開口部１０６ａとフック１０８ｂとを嵌合させればよい。これによって、Ｄ１方向及びＤ２方向のずれに対して安定化する。ここで、第２筐体１０８を下降せるためにアジャスタ１４０を用いることができ、アジャスタ１４０によって第２筐体１０８の高さを調節した後に、キャスタ１３８が床面から上昇しても構わない。また、フック１０８ｂは、ガイド１０６ｂと嵌合することによって、Ｄ１方向のずれに対して更に安定化する。
【００６１】
以上のことを換言すると、フック１０８ｂと第２筐体１０８との間には隙間が形成され、当該隙間は、フック１０８ｂの付け根付近を底部とする凹部であるとも言える。一方、第１筐体１０６が有する開口部１０６ａの両下端に配置されたガイド１０６ｂは、凸部であるとも言える。つまり、当該凹部と当該凸部が嵌合して、第１筐体１０６と第２筐体１０８とが接続されるとも言える。
＜変形例３＞
図９は、本実施形態に係るプリントシール機１００の第１筐体１０６及び第２筐体１０８を着脱可能とする接続手段の他の変形例を説明する図である。この図の見方は図７及び図８と同様である。
【００６２】
本変形例においては、図９（ａ）に示すように、第１筐体１０６は開口部１０６ａを有する。開口部１０６ａは、２つの長方形を上下に配置した形状を有している。上に配置された長方形は、下に配置された長方形よりも横の長さが長い。一方、第２筐体１０８は二つのフック１０８ｂを有する。フック１０８ｂは、第２筐体１０８から延在し、第２筐体１０８の外側且つ横方向（Ｄ１方向）に向けて屈曲するように形成されている。そのため、フック１０８ｂと同様の形状を有する開口部１０８ａが形成されている。
【００６３】
開口部１０６ａとフック１０８ｂとは互いに嵌合するようなサイズ及び配置で設けられている。
【００６４】
第１筐体１０６と第２筐体１０８とを接続するには、第２筐体１０８のフック１０８ｂを、第１筐体１０６の開口部１０６ａに挿入した後に、第２筐体１０８の高さを下降させることによって、開口部１０６ａとフック１０８ｂとを嵌合させればよい。これによって、Ｄ１方向及びＤ２方向のずれに対して安定化する。ここで、第２筐体１０８を下降せるためにアジャスタ１４０を用いることができ、アジャスタ１４０によって第２筐体１０８の高さを調節した後に、キャスタ１３８が床面から上昇しても構わない。また、フック１０８ｂは、開口部１０６ａの左右の縁部とそれぞれ嵌合することによって、Ｄ１方向に対して安定化する。
【００６５】
以上のことを換言すると、フック１０８ｂと第２筐体１０８との間には隙間が形成され、当該隙間は、フック１０８ｂの付け根を底部とする凹部であるとも言える。一方、第１筐体１０６が有する開口部１０６ａの縁部は、凸部であるとも言える。つまり、当該凹部と当該凸部が嵌合して、第１筐体１０６と第２筐体１０８とが接続されるとも言える。
【００６６】
以上、本発明の好ましい態様を説明した。しかし、これらは単なる例示に過ぎず、本発明の技術的範囲はそれらには限定されない。当業者であれば、本発明の要旨を逸脱することなく、種々の変更が可能であろう。よって、それらの変更も当然に、本発明の技術的範囲に属すると解されるべきである。例えば、上述の実施形態においては、第１筐体１０６に、１台の第２筐体１０８が着脱可能である態様について説明したが、これに限られるものではない。第１筐体１０６及び第２筐体１０８はそれぞれ複数であり、それらが互いに着脱可能としてもよい。一例として、第１筐体１０６に複数の第２筐体１０８が着脱可能としてもよい。つまり、１台のプリントシール機１００に複数の画像編集装置１０４が設けられる構成としてもよい。逆に、第２筐体１０８に複数の第１筐体１０６が着脱可能としてもよい。つまり、１台のプリントシール機１００に複数の撮影装置１０２が設けられる構成としてもよい。
【符号の説明】
【００６７】
１００、１０１・・・プリントシール機
１０２、１０３・・・撮影装置
１０４、１０５・・・画像編集装置
１０６・・・第１筐体
１０８・・・第２筐体
１１０・・・撮影部
１１２・・・受付部
１１３・・・料金投入口
１１４・・・撮影空間
１１６・・・カメラ
１２０・・・照明機器
１２２ａ、１２２ｂ、１２２ｃ・・・スピーカー
１２４・・・編集部
１２６・・・印刷部
１２８・・・制御部
１３０・・・編集空間
１３２・・・プリンタ
１３４・・・シール吐出口
１３６・・・接続手段
１３８・・・キャスタ
１４０・・・アジャスタ
１４２・・・庇部
１４４・・・第１バス
１４６・・・第２バス
１４８ａ、１４８ｂ、１４８ｃ、１４８ｄ・・・ディスプレイ
１５０ａ、１５０ｂ・・・タッチペン
【図１】
2017055316.tif 000003
【図２】
2017055316.tif 000004
【図３】
2017055316.tif 000005
【図４】
2017055316.tif 000006
【図５】
2017055316.tif 000007
【図６】
2017055316.tif 000008
【図７】
2017055316.tif 000009
【図８】
2017055316.tif 000010
【図９】
2017055316.tif 000011